(57)【要約】本発明の目的は汎用性と施工性を兼ね備えた鳥害防止具の張架用取付台を提供することにあり、その構成は手摺りなど所望の箇所に取付可能な一定長を有する土台本体と、該本体の幅方向に設けられた一又は複数の切断用凹溝と、前記切断用凹溝の間に一又は複数立設してなる支柱とからなる。その利点は、取付箇所の長さに応じて過不足なく取付けることができる汎用性と、支柱の数とは無関係に土台本体を固定できる施工性を兼ね備えた点にある。
2004047533.tif 000002
【特許請求の範囲】
【請求項１】
手摺りなど所望の箇所に取付可能な一定長を有する土台本体と、該本体の幅方向に設けられた一又は複数の切断用凹溝と、前記切断用凹溝の間に一又は複数立設してなる支柱とからなることを特徴とする鳥害防止具の張架用取付台。
【請求項２】
支柱の先端部には、鳥害防止具の線条体を挟持可能な切込みを設けた弾性体と、前記切込みを圧着可能に締め込まれるナットとを備えた請求項１記載の鳥害防止具の張架用取付台。
【請求項３】
切断用凹溝は、等間隔に設けられる請求項１または２記載の鳥害防止具の張架用取付台。
【請求項４】
切断用凹溝は、折曲により剪断可能な深さからなる請求項１、２または３記載の鳥害防止具の張架用取付台。
【請求項５】
支柱は土台本体にネジにより着脱自在に立設される請求項１、２、３または４記載の鳥害防止具の張架用取付台。
【請求項６】
支柱の下端を雄ねじに形成し、土台本体には前記雄ねじが螺合可能な金属製の雌ねじをインサート成型した請求項５記載の鳥害防止具の張架用取付台。
【請求項７】
土台本体の両端部に継ぎ合わせ部を設けた請求項１、２、３、４、５また６記載の鳥害防止具の張架用取付台。
【請求項８】
継ぎ合わせ部は、土台本体の端部それぞれに形成された差込穴と、土台本体とは別体の差込片からなる請求項７記載の鳥害防止具の張架用取付台。
【請求項９】
土台本体は、底面に磁石が設けられた請求項１、２、３、４、５、６、７または８記載の鳥害防止具の張架用取付台。
【発明の詳細な説明】
【技術分野】  この発明は、線条体に磁石を複数設けてなる鳥害防止具を張架するための取付台に関するものである。
【背景技術】  従来、鳩などによる糞害や営巣を回避するため、線条体に磁石を複数設けた鳥害防止具が知られている。磁石やその磁力によって磁化された線条体により、当該鳥害防止具の張架空間に変動磁場を形成し、もって鳩などの飛来を忌避しようとするものである。
この鳥害防止具は、支柱をベランダの手摺りや駅舎などの建物における梁（主としてＨ形鋼）に複数立設し、当該支柱間に張架した状態で取付けられるが、その際、支柱を手摺りや梁に固定するための土台が必要となる。その土台は、長尺状のレールであったり、あるいは支柱ごとに設けられたものが知られている（支柱ごとに設けられたものに関しては、実開平１−１４６８８１号公報の第１図および第６図や実開平１−１０８０９０号公報の第１図を参照）。
上述した従来の土台のうち、長尺状のレールは、取付箇所が少なくて済み、手摺り等への取付施工が簡単である反面、予め長さが決められているため汎用性に欠けるといった欠点がある。つまり、時にはレールが短過ぎて所望の張架長が得られなかったり、長過ぎて余剰分がはみ出て景観を損ねるといった課題を有する。この点、幾つもの長さのレールを用意することも考えられるが、使用者にとってはその選択が面倒となり、またメーカーにとっても生産性が良くない。
一方、支柱ごとに設けられたものにあっては、支柱の間隔を任意に決定できるため汎用性が高く、上述したレールのような課題はないが、その反面、支柱の数だけ土台を取付ける必要があり、施工性に欠ける。特に、大きな建物に取付ける場合や支柱の間隔を密にする場合など、支柱の立設数が増えれば、それだけ施工性が悪化する。
本発明は上述した課題に鑑みなされたもので、その目的とするところは、汎用性と施工性を兼ね備えた鳥害防止具の張架用取付台を提供することである。
【発明の開示】
上記目的を達成するために本発明では、手摺りなど所望の箇所に取付可能な一定長を有する土台本体と、該本体の幅方向に設けられた一又は複数の切断用凹溝と、前記切断用凹溝の間に一又は複数立設してなる支柱とから鳥害防止具の張架用取付台を構成するという手段を用いた。支柱は鳥害防止具を張架する。切断用凹溝は、該部において土台本体をカットするために機能する。その利点は、従来技術で説明した支柱ごとに土台を有する構造とほぼ同じであり、取付箇所（手摺り等）の長さに応じて過不足なく本張架用取付台を取付けることができる。また、土台本体の取付にあっては従来技術で説明したレールとほぼ同じ利点があり、支柱の数とは無関係に土台本体を固定できて施工性がよい。つまり、本発明は施工性と汎用性を兼ね備える。なお、切断用凹溝のカット方法は、カッター、その他の切断用工具（プライヤー、ペンチ、のこぎり、ノミなど）を用いる他、手で土台本体を折り曲げてカットすることもあり、特に限定されない。
また本発明では、切断用凹溝は等間隔に設けるという手段を用いた。この手段によれば、土台本体のカット寸法を統一でき、張架長に関し、より汎用性を高めることができる。
また本発明では、切断用凹溝は、折曲により剪断可能な深さに形成した。この手段では手による折曲によって土台本体をカットできるため、カット作業が容易となる。ただし、この手段以外において、土台本体のカット方法は限定されず、工具を用いることも可能である。
また本発明では、支柱は土台本体に対して着脱自在に立設するようにした。これによって、支柱の本数や間隔を自由に設定することができる。
また本発明では、支柱と土台本体はネジにより着脱自在とした。構造および支柱の立設作業が簡易で、且つ、ネジ作用により支柱の抜けも確実に防止される。
また本発明では、支柱の下端を雄ねじに形成し、土台本体には前記雄ねじが螺合可能な金属製の雌ねじをインサート成型した。土台本体がプラスチックにより成型される場合、該プラスチックに直接雌ねじを形成する場合に比べて金属製雌ねじはバカネジが発生しにくく、長期使用に耐え得る。
また本発明では、土台本体の両端部に継ぎ合わせ部を設けた。これにより土台本体を連結でき、目的の張架長に応じて本取付台の全長調整を容易に行うことができる。この継ぎ合わせ部は、差込片とその差込穴から構成した。構造が簡易で、しかも土台本体の連結も容易に行うことができる。また土台本体の端部それぞれに形成された差込穴と、土台本体とは別体の差込片から継ぎ合わせ部を構成することによって、土台本体の成型金型が簡易化され、コスト低減や生産性向上に寄与する。
また本発明では、支柱は、鳥害防止具の線条体を挟持可能な切込みを設けた弾性体と、前記切込みを圧着可能に締め込まれるナットとを備えた構成とした。ナットを締め込むことによって弾性体が圧縮し、もって切込みによる線条体の挟持力が上がる。よって、鳥害防止具の張架作業を容易且つ短時間で行うことができる。
さらに本発明では、土台本体は、底面に磁石が設けられた構成とした。これにより、手摺り等の取付対象が鉄など磁性体である場合、これに載置するのみで本取付台の固定が完了する。よって、ネジや接着剤、クランプ、ワイヤや紐などの締結具による固定方法に比べて作業性がよく本取付台を固定することができる。ただし、この手段以外において、本取付台の固定方法に限定はない。
【図面の簡単な説明】  第１図は本発明の一実施形態に係る張架用取付台の分解斜視図、第２図（ａ）は同取付台の正面図、同図（ｂ）は平面図、同図（ｃ）は底面図、同図（ｄ）は左側面図、同図（ｅ）は右側面図、第３図は同取付台の支柱用雌ねじを示した断面図、第４図は同取付台の継ぎ合わせ部を示した斜視図、第５図は同取付台の支柱詳細図である。
【発明を実施するための最良の形態】  以下、本発明の好ましい実施の形態を添付した図面に従って説明する。図１は、本発明の一実施形態に係る鳥害防止具の張架用取付台の分解斜視図であり、１はベランダの手摺りなどに取付可能な形状を有する土台本体、２は鳥害防止具を張架する支柱である。なお、３は公知の鳥害防止具であり、線条体３ａに磁石３ｂを複数設けてなる。
土台本体１は、図２（ａは正面図、ｂは平面図、ｃは底面図、ｄは左側面図、ｅは右側面図）からも明らかなように、断面凸形で、一定長をなし、その凸部１ａと底面１ｂには切断用凹溝１ｃを形成している。また、本実施形態では、切断用凹溝１ｃを２カ所に設け、土台本体１を三等分している。ただし、切断用凹溝１ｃの数や土台本体１を等分することは、必ずしも要しない。つまり、切断用凹溝１ｃは１または３以上であってもよいし、該凹溝１ｃを非等間隔に設けることも可能である。さらに、切断用凹溝１ｃは本実施形態のように土台本体１の一部に設ける他、土台本体１の全周に亘って設けることも可能である。なお、この実施形態では土台本体１として断面凸形の形状を例示したが、これは、凸部１ａの高さ分、支柱２の差込長が長くなり、支柱２の取付強度が高まるからである。しかし、土台本体１の具体的形状は、この断面凸形に限定されず、支柱２を立設固定でき、且つ、ベランダの手摺り等に取付可能であれば、他の形状であってもよい。また、切断用凹溝１ｃは少なくとも工具を用いてカットできる深さに形成される必要があるが、手による折曲作業によってカットできる深さに形成することが好ましい。さらに、この実施形態では、切断用凹溝１ｃを内に向かって鋭角となるように形成した。カットを容易にするためである。ただし、切断用凹溝１ｃの形状はこれに限定されない。
土台本体１の切断用凹溝１ｃによって三等分された各区画１ｄには、支柱２を立設するための差込孔１ｅをそれぞれ２カ所ずつ設けている。ただし、差込孔１ｅの数はこれに限定されず、１または３以上であってもよい。また、全ての差込孔１ｅに支柱２を立設する必要はない。これらは支柱２の立設数に応じて変更あるいは調整されるものだからである。なお、支柱２の立設構造は、図３に示したように、支柱２の下端に雄ねじ２ａを刻設すると共に、土台本体１側の差込孔１ｅは雌ねじ１ｆとすることが好ましい。立設作業が容易となり、しかもネジ作用によって支柱２の抜けが生じないからである。ただし、ネジ以外、単に支柱を差込孔１ｅに差し込むような構造であってもよいし、その他の立設構造であってもよい。さらに、土台本体１側の差込孔１ｅには金属製の雌ねじ１ｆをインサート成型により設けることが好ましい。支柱２が金属製であって、土台本体１をプラスチック成型した場合、立設作業の繰り返しによって差込孔１ｅの雌ねじ１ｆが損傷（いわゆるバカネジ）することがあるが、雌ねじ１ｆを金属製とすることによって、そのような問題がなく、長期使用にも耐えるからである。
また、土台本体１の両端には継ぎ合わせ部１ｇを設けることが好ましい。複数の本取付台を連結することにより長さ調整を簡単に行うことができるからである。より好ましくは、図４に示したように、継ぎ合わせ部１ｇは、土台本体１の両端それぞれに形成した差込穴１ｈと、該差込穴１ｈに差込可能な土台本体１とは別体の差込片１ｉによって構成する。土台本体１の成型金型が簡易化されるからである。ただし、一端に差込片１ｉを成型当初から一体とした構成であっても、長さ調整に関する作用効果は同じものが得られる。また、この実施形態では横長形状の差込穴１ｈおよび差込片１ｉを例示したが、その形状は両者が係合ないしは嵌合できるものであれば限定しないし、他の係合あるいは嵌合構造であってもよい。さらに、差込穴１ｈおよび差込片１ｉの数も限定されず、２以上であってもよい。
図５は、本実施形態における支柱２の詳細図である。その特徴は、鳥害防止具３の線条体の取付構造にある。つまり、当該取付構造として本実施形態では、支柱２の上方に六角ナット２ｂ、弾性体２ｃ、締め込みナット２ｄを構成している。六角ナット２ｂは弾性体２ｃを支持する。弾性体２ｃは、鳥害防止具３の線条体を挟持する切込み２ｅが形成されている。そして、締め込みナット２ｄによって弾性体２ｃを圧縮し、切込み２ｅに挿通した線条体を弾性的に挟持するのである。ここに示した線条体の取付構造によれば、線条体を弾性体２ｃの切込み２ｅに挿通し、締め込みナット２ｄを締め込むだけ鳥害防止具３の張架作業が完了する。ただし、当該取付構造は、従来公知の構成を採用することもでき、例えば従来技術で例示した特許文献１、２に記載されているように、線条体を巻き付けるものや、先端に切込みを形成し、この切込みで線条体を支持する構造であってもよい。また、弾性体２ｃはゴムやウレタンなどの弾性素材によって構成することが好ましいが、プラスチックや金属であってもよい。要は、締め込みナット２ｄの締め込み作用によって切込み２ｅを圧着させるものであれば線条体を抜脱不能に挟持することができる。
次に、上記構成からなる本取付台の使用方法について説明すると、先ず土台本体１を必要に応じて連結し、その全長を取付対象となるベランダの手摺り等に合わせる。このとき連結した全長が取付対象よりも長くなるときは、両側もしくは片側の土台本体１を切断用凹溝１ｃに沿って切断することで全長の微調整を行うことができる。そして、長さ調整後の土台本体１を取付対象に載置し、所望の方法によって固定する。本実施形態の場合、当該固定方法としてネジ（ボルトを含む）、接着剤、ワイヤーや紐による締結の何れも採用することができる。即ち、ネジによる場合は土台本体１の両肩部から底面にかけて貫設したネジ穴１ｊを利用し（図１や図２（ｂ）を参照）、ワイヤーや紐の締結による場合は土台本体１の凸部１ａの側面に貫設した挿通孔１ｋを利用する。ここで、本実施形態では土台本体１を断面凸形に形成しているので、上述したように凸部１ａによって支柱２の差込孔１ｅを深くとることができると共に、当該差込孔１ｅとネジ穴１ｊと挿通孔１ｋの三者を交差することなく設けることができるという利点がある。
さらに、本実施形態では土台本体１の底面１ｂに磁石の埋設部１１を形成している（図２（ｃ）を参照）。当該埋設部１１に磁石を埋設しておくことで、取付対象が鉄などの磁性体であるとき、当該取付対象に土台本体１を載置するだけで固定作業が完了する。ここで使用する磁石が強力であれば、他の固定方法を併用することなく土台本体１を強固に固定することができる。ただし、固定方法はここに例示したものの一または複数を組み合わせて使用することができる。例えば、磁石とワイヤーとを組み合わせて固定することも可能であるし、接着剤のみよって固定することも可能である。要は、必要な取付強度が確保しうるように選択すればよい。
上述の要領で土台本体１の固定が完了すれば、当該土台本体１に支柱２を立設する。このとき使用する支柱２の本数は適宜である。そして、支柱２の立設作業が完了すれば、当該支柱２に鳥害防止具３を張架し、本取付台の設置が全て完了する。
【産業上の利用可能性】  以上説明したように、本発明の鳥害防止具の張架用取付台によれば、土台本体に切断用凹溝を形成しているので、取付対象に応じた長さ調整が可能で、汎用性に優れる。また、支柱の数とは無関係に土台本体を固定できるので、その設置作業について施工性に優れる。切断用凹溝を等間隔に設けたものにあっては土台本体が等分されるから、長さ調整の際、寸法管理が容易である。切断用凹溝を折曲によって剪断可能な深さとしたものでは特別な工具を必要とせず、土台本体の長さ調整を行うことができる。支柱を着脱可能に立設したものにあっては、支柱の立設本数を容易に調整できる。支柱をネジにより立設するものでは着脱作業が簡単で、しかも抜けが生じにくい。また土台本体に金属製の雌ねじをインサート成型したものにあっては、支柱を繰り返しねじ込んでもバカネジにならず、長期の使用に耐え得る。さらに土台本体の両端部に継ぎ合わせ部を設けたものにあっては、土台本体の連結が可能となり、当該継ぎ合わせ部を差込片と差込穴によって構成したものでは連結作業が簡便となる。差込片を土台本体とは別体に構成することによって土台本体の成型が簡易になる。また切込みを形成した弾性体によって鳥害防止具の線条体を弾性的に挟持するものにあっては鳥害防止具の張架作業を簡便に行うことができる。さらに土台本体が底面に磁石を有するものにあっては土台本体の固定作業を大幅に短縮することができる。
【図１】
2004047533.tif 000003
【図２】
2004047533.tif 000004
【図３】
2004047533.tif 000005
【図４】
2004047533.tif 000006
【図５】
2004047533.tif 000007
【国際調査報告】
2004047533.tif 000008
2004047533.tif 000009